(57)【要約】      （修正有）【課題】簡単な構造で、名刺を取り出しやすく、渡しやすく、丁寧に取り扱うことができる、多機能名刺入れを提供する。【解決手段】天然木でできた名刺入れで、名刺を挟んでおくことができるクリップが設けられ、交換した相手の名刺を挟んでおくことができ、専用スタンド台に立てられる構造を有する。また、丸みのある面とり部分が設けられ、ツボ押しや、押し滑らせてマッサージ器具として使うことができる。更に、名刺入れ本体の表面、又は、内箱に文字や図形を入れることができる。【選択図】図１
0003182724.tif 000002
【実用新案登録請求の範囲】
【請求項１】
天然木でできた名刺入れであり、交換した相手の名刺をクリップに挟んでテーブルの上に置くのに便利なばかりでなく、専用スタンド台に名刺入りケースを立てられるのが特徴である。そのため、写真立てのように立つ名刺ケースとなる。その場合、大切に扱われている特別感を相手に与えることが出来、名刺交換の印象をアップさせ、コミュニケーションツールとして役立てる事ができる。
【請求項２】
クリップ（4）を設けた事を特徴とし、名刺交換の前に自分の名刺を挟んでおく事で、相手に名刺を差し出す時、もたつかずスマートに名刺交換できる。また、相手から受け取った名刺は、その場でクリップに挟んでおく事が出来るので、折る、落とす、忘れるの失敗がなくなり、受け取った名刺をすぐ名刺入れにしまう失礼な失敗もなくなる。クリップ付きの便利な名刺入れは、名刺の扱いをわかりやすくし、名刺交換をスムーズにする。さらに、自分のデスクに、自分の名刺を挟んだ名刺入れを立てておけばネームスタンドにもなり、急な来客があっても慌てて名刺入れを探す事もなく、スムーズに対応する事が可能になる。大切な人の写真をクリップに挟んで、写真立てとして使用できるのも特徴となる。
【請求項３】
軽く、温もりがあり、耐久性のある素材にこだわりを持ち、しっくりと手に馴染むサイズとデザインに工夫を凝らし、薄マチで丸みのある面取り部分を設けた。そのため、名刺入れの面取り部をツボ押しや、押し滑らせてマッサージの出来る名刺入れとして役立てる事が出来る。仕事の合間や待ち時間には名刺入れがマッサージ器具として使う事が出来、便利な名刺入れとなる。
【請求項４】
名刺入れの表面に、名前や好きなイラスト、会社のロゴやマークをレーザーで入れる事が出来るので、世界に一つの自分だけの名刺入れを作る事が出来る。また、名刺入れの内箱には、お祝いの言葉、感謝の言葉、応援の言葉、伝えたい気持ちを実筆のままレーザーで入れる事が出来るので、親から子へ、子から親へ、人と人をつなぐ役割の名刺入れとして特徴をもつ。例えば、子供の為に作った名刺入れには、子供へのメッセージを入れ、子供が大人になり名刺入れを使うまで親が愛情を持って使い続ける。親から子供への伝えたいメッセージと長い時間をかけ使い続けた名刺入れは、新品にはない価値が加わり使い込んだ分だけ、色も艶も深みを増し世界に一つの価値ある名刺入れとして完成する。子供が成人した時、親からこの名刺入れを受け取り引き継ぐ事のできる名刺入れは今までにない名刺入れであり、人と人をつなぎ、温もりや優しさをつなぐことができる新しい価値を持った名刺入れとしておおいに役立つ。
【考案の詳細な説明】
【技術分野】
【０００１】
本考案は、名刺押し出しボタン兼名刺挟みクリップを装置する事で、容易な名刺交換を可能にする名刺入れであり、素材の特徴から長年の使用やマッサージ器具、写真立てとしても使用できる多機能な名刺入れに関するものである。
【背景技術】
【０００２】
従来の名刺入れは皮革、合成皮革、金属製などの素材を使用したものが多くそのいずれも使うほどにへたりやキズにより使い古した名刺入れに見え、名刺交換に使うには相手に悪い印象を与えてしまうものである。名刺入れはこれまで古くなれば新しいものに替えるのみで実用上十分であった。
【０００３】
しかし、名刺交換から始まるビジネスや、その後の関係を考えると名刺交換はもたつかずにスムーズに行いたい。しかし、初対面で名刺交換をした相手の名刺をすぐにしまう事もマナー違反となり、相手の名刺の扱いには色々なルールがあり、難しくなりがちである。名刺交換に慣れていない人やマナーを知らない人にとって、ただ名刺を収納する事を目的とした名刺入れを持っていても、スマートにスムーズに名刺交換をするには欠点があった。
【０００４】
名刺交換をした相手の名刺は、自分の名刺入れの上に置くのがマナーとなっているが、テーブルの上の書類に紛れ込んだり、書類の風で名刺入れの上から相手の名刺がすべり落ちる事が多く、その場合、名刺を落とす、汚す、曲げる、忘れるなどの名刺交換のマナー違反となり相手に悪い印象を与えてしまうなどの問題点があった。
【０００５】
この改善策として耐久性の高い木材を素材とした名刺入れがあるが、耐久性だけでは名刺交換がスムーズにならない。
【先行技術文献】
【特許文献】
【０００６】
【特許文献１】特開2001-261079号
【考案の概要】
【考案が解決しようとする課題】
【０００７】
解決しようとする問題点は、特別な機械や装置を取り付ける事なく、簡単な構造で名刺を1枚1枚取り出しやすく、渡しやすく、受け取った名刺を簡単に丁寧に取り扱う事ができない点である。
【課題を解決するための手段】
【０００８】
本考案は、問題を解決するため、名刺交換や名刺交換のマナー違反の心配をなくし、素材の特徴やデザイン、機能の特徴から名刺交換時の話題作りやコミュニケーションツールとしても活用でき、口下手、話下手の強い味方にもなれる名刺入れであり、へたりのない耐久性のある素材を使い、長く大切に使い続け、親から子へ継承できる名刺入れを提供する事を目的とするものである。また、仕事に疲れた時や待ち時間には名刺入れの素材を活かし、しっくり手に馴染むサイズとデザインの工夫から、にぎる、押す、滑らせることで、マッサージ機能付きの名刺入れとして役立てる事が出来る特徴を持っている。軽量で多機能な名刺入れであることを最も主要な特徴とする。
【図面の簡単な説明】
【０００９】
【図１】図１は多機能名刺入れの平面図を示した説明図である。
【図２】図２は多機能名刺入れの第１図のA−A線断面を示した説明図である。
【図３】図３は付属のスタンド台の平面を示した説明図である。
【図４】図４は多機能名刺入れをスタンド台に立てた立面を示した説明図である。
【考案を実施するための形態】
【００１０】
本考案の多機能名刺入れは、反りや狂いのない耐久性のある天然木を使用し、名刺交換の渡す、受け取る、置く、しまうのマナーをスムーズにする目的を、素材、クリップ付き機能、デザインで実現した。
【符号の説明】
【００１１】
1.  名刺入れ本体
2.  内箱
3.  名刺又はカード
4.  押し出しボタン兼クリップ
5.  押し出しバネ
6.  穴部
7.  印
8.  イラスト・文字入れ可能箇所
9.  面取り部分
10、4のバネの結合部分
11、スタンド台
12、溝
13、連結部
14、イラスト又は文字入れ可能箇所
【図１】
0003182724.tif 000003
【図２】
0003182724.tif 000004
【図３】
0003182724.tif 000005
【図４】
0003182724.tif 000006
【手続補正書】
【提出日】平成25年1月21日(2013.1.21)
【手続補正１】
【補正対象書類名】明細書
【補正対象項目名】００１０
【補正方法】変更
【補正の内容】
【００１０】以下、本考案の実施形態における多機能名刺入れについて図面を参照して説明する。
本実施形態の多機能名刺入れは、反りや狂いのない耐久性のある天然木を使用し、名刺交換の渡す、受け取る、置く、しまうのマナーをスムーズにする目的を、素材、クリップ付き機能、デザインで表現したものである。
まず、図１（平面図）を参照すると、本実施形態の多機能名刺入れは、名刺入れ本体１と名刺入れ本体１に収納可能な内箱２から構成されている。
厚み寸法の薄い略長方形の名刺入れ本体１の上面であって、名刺入れ本体１から内箱２を長手方向において引き出し可能な側と対向する側（以下、「収納側」という。）には、押し出しボタン兼クリップ４が設けられている。押し出しボタン兼クリップ４の上面には所定の印７が付加されている。
名刺入れ本体１の内箱２を収納可能な空間を形成する内部壁であって、収納側の内部壁には、押し出しバネ５が設けられている。
また、名刺入れ本体１よりも一回り小さい寸法の略長方形の内箱２には、内箱２が名刺入れ本体１から引き出された場合に名刺又はカード３が取り出すことができるように載置可能となっている。また、内箱２の名刺入れ本体１から内箱２を引き出し可能な側には略楕円形の穴部６が形成されている。さらに、内箱２の上面であって、穴部６よりも収納側は、イラスト・文字入れ可能部８となっている。
名刺入れ本体１の端面は面取り部分９により滑らかな曲面状となっている（図２参照）。
そして、本実施形態の多機能名刺入れは、例えば、図３に示すようなスタンド台１１を利用することで、図４に示すように、スタンド台１１の溝１２により名刺入れ本体１が挟持され、名刺入れ本体１の図１に示す略長方形の面が垂直に起立した状態を保持することが可能となる。
上述のとおり、本実施形態の多機能名刺入れは、天然木でできた名刺入れであり、交換した相手の名刺をクリップに挟んでテーブルの上に置くのに便利なばかりでなく、専用スタンド台に名刺入りケースを立てられる。そのため、写真立てのように立つ名刺ケースとなる、その場合、大切に扱われている特別感を相手に与えることが出来、名刺交換の印象をアップさせ、コミュニケーションツールとして役立てる事ができる。
また、本実施形態の多機能名刺入れは、押し出しボタン兼クリップ４を備えるので、名刺交換の前に自分の名刺を挟んでおく事で、相手に名刺を差し出す時、もたつかずスマートに名刺交換できる。また、相手から受け取った名刺は、その場でクリップに挟んでおく事が出来るので、折る、落とす、忘れるの失敗がなくなり、受け取った名刺をすぐ名刺入れにしまう失礼な失敗もなくなる。クリップ付きの便利な名刺入れは、名刺の扱いをわかりやすくし、名刺交換をスムーズにする。さらに、自分のデスクに、自分の名刺を挟んだ名刺入れを立てておけばホームスタンドにもなり、急な来客があっても慌てて名刺入れを探す事もなく、スムーズに対応することが可能になる。なお、大切な人の写真をクリップに挟んで、写真立てとして使用してもよい。
また、本実施形態の多機能名刺入れは、軽く、温もりがあり、耐久性のある素材にこだわりを持ち、しっくりと手に馴染むサイズとデザインに工夫を凝らし、薄マチで丸みのある面取り部分を備えるため、名刺入れの面取り部をツボ押しや、押し滑らせてマッサージの出来る名刺入れとして役立てる事が出来る。仕事の合間や待ち時間には名刺入れがマッサージ器具として使う事が出来、便利な名刺入れとなる。
また、本実施形態の多機能名刺入れは、名刺入れの表面に、名前や好きなイラスト、会社のロゴやマークをレーザーで入れる事が出来るので、世界に一つの自分だけの名刺入れを作る事が出来る。また、名刺入れの内箱には、お祝いの言葉、感謝の言葉、応援の言葉、伝えたい気持ちを直筆のままレーザーで入れる事が出来るので、親から子へ、子から親へ、人と人をつなぐ役割の名刺入れとなる。例えば、子供の為に作った名刺入れには、子供へのメッセージを入れ、子供が大人になり名刺入れを使うまで親が愛情を持って使い続ける。親から子供への伝えたいメッセージと長い時間をかけ使い続けた名刺入れは、新品にはない価値が加わり使い込んだ分だけ、色も艶も深みを増し世界に一つの価値のある名刺入れとして完成する。子供が成人した時、親からこの名刺入れを受け取り引き継ぐ事のできる名刺入れは今までにない名刺入れであり、人と人をつなぎ、温もりや優しさをつなぐことが出来る新しい価値を持った名刺入れとして大いに役立つ。
【手続補正２】
【補正対象書類名】実用新案登録請求の範囲
【補正対象項目名】全文
【補正方法】変更
【補正の内容】
【実用新案登録請求の範囲】
【請求項１】
天然木でできた名刺入れであり、交換した相手の名刺を挟んでおくことができるクリップが設けられ、かつ、専用スタンド台に立てられることを特徴とする多機能名刺入れ。
【請求項２】
前記クリップに、自分の名刺及び写真の少なくともいずれかを挟んでおくことを特徴とする請求項１に記載の多機能名刺入れ。
【請求項３】
丸みのある面取り部分が設けられ、ツボ押しや、押し滑らせてマッサージの出来ることを特徴とする請求項１又は２に記載の多機能名刺入れ。
【請求項４】
名刺入れ本体の表面又は、内箱に、文字や図形を入れることを特徴とする請求項１から３のいずれか１項に記載の多機能名刺入れ。